(57)【要約】【課題】小型化と高変倍化を実現しながらも、ズーム全域で色収差を良好に補正した、高い解像性能を有するズームレンズおよびこれを用いた撮像装置を提供すること。【解決手段】物体側より像側へ順に、正の屈折力の第１レンズ群、負の屈折力の第２レンズ群、正の屈折力の第３レンズ群と、少なくとも１つ以上のレンズ群を含む後群を有して構成され、広角端から望遠端へのズーミングに際して、少なくとも第１から第３レンズ群が移動するズームレンズにおいて、第２レンズ群に少なくとも３枚以上の負レンズと、１枚以上の正レンズを有し、第２レンズの焦点距離ｆ２、望遠端の焦点距離ｆｔ、第２レンズ群に含まれる負レンズの平均アッベ数ｖ２ｎａｖｅ、第２レンズ群に含まれる正レンズの平均アッベ数ｖ２ｐａｖｅを適切に設定すること。【選択図】図１
2018194768.tif 000002
【特許請求の範囲】
【請求項１】
物体側より像側へ順に、正の屈折力の第１レンズ群、負の屈折力の第２レンズ群、正の屈折力の第３レンズ群と、少なくとも１つ以上のレンズ群を含む後群を有して構成され、
広角端から望遠端へのズーミングに際して、少なくとも第１から第３レンズ群が移動するズームレンズにおいて、
第２レンズ群に少なくとも３枚以上の負レンズと１枚以上の正レンズを有して構成され、
前記第２レンズの焦点距離をｆ２、望遠端の焦点距離ｆｔ、前記第２レンズ群に含まれる負レンズの平均アッベ数をｖ２ｎａｖｅ、前記第２レンズ群に含まれる正レンズの平均アッベ数をｖ２ｐａｖｅとした時、以下の式を満足することを特徴とするズームレンズ。
０．０５０＜｜ｆ２｜／ｆｔ＜０．１４０
４０．０＜ｖ２ｎａｖｅ−ｖ２ｐａｖｅ＜１００．０
【請求項２】
広角端における前記第２レンズ群の横倍率をβ２ｗ、望遠端における横倍率をβ２ｔとした時、以下の式を満足することを特徴とした請求項１に記載のズームレンズ。
４．０＜β２ｔ／β２ｗ＜１０．０
【請求項３】
前記第２レンズ群に含まれる負レンズの平均焦点距離をｆ２ｎａｖｅ、広角端の焦点距離をｆｗとした時、以下の式を満足することを特徴とした請求項１又は請求項２に記載のズームレンズ。
３．００＜｜ｆ２ｎａｖｅ｜／ｆｗ＜１０．００
【請求項４】
前記第２レンズ群に含まれる負レンズの平均屈折率をＮ２ｎａｖｅとした時、以下の式を満足することを特徴とした請求項１乃至請求項３の何れか一項に記載のズームレンズ。
１．５００＜Ｎ２ｎａｖｅ＜１．８００
【請求項５】
前記第２レンズ群は、物体側から順に、負の屈折力の２１レンズ、負の屈折力の２２レンズ、負の屈折力の２３レンズを配置して構成されていることを特徴とした請求項１乃至請求項４の何れか一項に記載のズームレンズ。
【請求項６】
前記第２レンズ群の２１レンズの物体側面の曲率半径をＲ２１ｏ、像側面の曲率半径をＲ２１ｉとした時、以下の式を満足することを特徴とした請求項５に記載のズームレンズ。
０．９０＜（Ｒ２１ｏ＋Ｒ２１ｉ）／（Ｒ２１ｏ−Ｒ２１ｉ）＜２．００
【請求項７】
前記第２レンズ群の２２レンズの物体側面の曲率半径をＲ２２ｏ、像側面の曲率半径をＲ２２ｉとした時、以下の式を満足することを特徴とした請求項５又は請求項６に記載のズームレンズ。
−１．００＜（Ｒ２２ｏ＋Ｒ２２ｉ）／（Ｒ２２ｏ−Ｒ２２ｉ）＜２．００
【請求項８】
前記第２レンズ群の２３レンズの物体側面の曲率半径をＲ２３ｏ、像側面の曲率半径をＲ２３ｉとした時、以下の式を満足することを特徴とした請求項５乃至請求項７の何れか一項に記載のズームレンズ。
−３．００＜（Ｒ２３ｏ＋Ｒ２３ｉ）／（Ｒ２３ｏ−Ｒ２３ｉ）＜−１．００
【請求項９】
前記１レンズ群の焦点距離をｆ１とした時、以下の式を満足することを特徴とした請求項１乃至請求項８の何れか一項に記載のズームレンズ。
０．５００＜ｆ１／ｆｔ＜１．０００
【請求項１０】
前記第１レンズ群は、少なくとも１枚以上の正レンズと負レンズを有して構成され、前記第１レンズ群に含まれる正レンズの平均アッベ数をｖ１ｐａｖｅ、負レンズの平均アッベ数をｖ１ｎａｖｅとした時、以下の式を満足することを特徴とした請求項１乃至請求項９の何れか一項に記載のズームレンズ。
４０．０＜ｖ１ｐａｖｅ−ｖ１ｎａｖｅ＜８０．０
【請求項１１】
前記３レンズ群の焦点距離をｆ３とした時、以下の式を満足することを特徴とした請求項１乃至請求項１０の何れか一項に記載のズームレンズ。
０．１００＜ｆ３／ｆｔ＜０．２５０
【請求項１２】
前記第３レンズ群は、少なくとも１枚以上の正レンズと負レンズを有して構成され、前記第３レンズ群に含まれる正レンズの平均アッベ数をｖ３ｐａｖｅ、負レンズの平均アッベ数をｖ３ｎａｖｅとした時、以下の式を満足することを特徴とした請求項１乃至請求項１１の何れか一項に記載のズームレンズ。
４０．０＜ｖ３ｐａｖｅ−ｖ３ｎａｖｅ＜８０．０
【請求項１３】
前記後群は、最も物体側に負の屈折力の第４レンズ群を有して構成されることを特徴とする請求項１乃至請求項１２の何れか一項に記載のズームレンズ。
【請求項１４】
前記後群は、最も物体側に正の屈折力の第４レンズ群を有して構成されることを特徴とする請求項１乃至請求項１２の何れか一項に記載のズームレンズ。
【請求項１５】
請求項１乃至請求項１４の何れか一項に記載のズームレンズと、該当ズームレンズによって形成される像を受光する固体撮像素子を有していることを特徴とする撮像装置。
【発明の詳細な説明】
【技術分野】
【０００１】
本発明は、ズームレンズおよびこれを用いた撮像装置に関し、例えばビデオカメラ、デジタルカメラなどに好適なものである。
【背景技術】
【０００２】
近年、固体撮像素子を用いた撮像装置においては、装置全体の小型化と高機能化に加えて、高画質化が強く要望されている。それに伴い、これらに用いる撮影光学系として、小型高変倍であることに加え、色収差が良好に補正された高い解像力を有するズームレンズが強く要求されている。
【０００３】
このような要求に応えるために、様々なズームレンズが提唱されており、特許文献１、２に開示したような、物体側より像側へ順に、正群、負群、正群の屈折力を有するポジティブリード型のズームレンズが知られている。例えば、正負正群を有するズームレンズ群構成で、小型高変倍のズームレンズの高画質化を図った例として、特許文献１では、銀塩カメラ換算焦点距離で３５ｍｍ、ズーム比８．０倍程度、また、特許文献２では、銀塩カメラ換算焦点距離で２２ｍｍ、ズーム比１１．８倍程度のズームレンズが開示されている。
【先行技術文献】
【特許文献】
【０００４】
【特許文献１】特開平９−０６８６５３号公報
【特許文献２】特開２０１２−２５５８９３号公報
【発明の概要】
【発明が解決しようとする課題】
【０００５】
一般に、正負正群を有するズームレンズ群構成にて、高変倍化と小型化を実現するためには、変倍群である第２レンズ群の屈折力（光学的パワー＝焦点距離の逆数）を強めることが有効である。しかしながら、単純に、第２レンズ群の屈折力を強めてしまうと、第２レンズ群で発生する色収差により、ズーム全域で高い解像力を得ることが困難となる。そのため、屈折力の設定に合わせて、第２レンズ群の構成と材料を適切に選択し、色収差を補正する必要がある。
【０００６】
特許文献１は、第２レンズ群の屈折力が弱いことにより、十分なズームレンズの小型化と高変倍化を両立できているとは言えない。
【０００７】
特許文献２は、第２レンズ群の屈折力を強めることで、ズームレンズの小型化と高変倍化を図っているが、ズーム全域において十分な色収差補正を図れているとは言えない。
【０００８】
そこで、本発明は、正負正群を有するズームレンズ群構成にて、第２レンズ群の屈折力、レンズ構成枚数、材料を適切に設定することで、小型化と高変倍化を実現しながらも、ズーム全域で色収差を良好に補正した、高い解像性能を有するズームレンズおよびこれを用いた撮像装置を提供することを目的とする。
【課題を解決するための手段】
【０００９】
上記の目的を達成するために、本発明に係るズームレンズは、
物体側より像側へ順に、正の屈折力の第１レンズ群、負の屈折力の第２レンズ群、正の屈折力の第３レンズ群と、少なくとも１つ以上のレンズ群を含む後群を有して構成され、広角端から望遠端へのズーミングに際して、少なくとも第１から第３レンズ群が移動するズームレンズにおいて、第２レンズ群に少なくとも３枚以上の負レンズと、１枚以上の正レンズを有し、第２レンズの焦点距離をｆ２、望遠端の焦点距離ｆｔ、第２レンズ群に含まれる負レンズの平均アッベ数をｖ２ｎａｖｅ、第２レンズ群に含まれる正レンズの平均アッベ数をｖ２ｐａｖｅとした時、以下の条件式を満足することを特徴としている。
【００１０】
０．０５０＜｜ｆ２｜／ｆｔ＜０．１４０
４０．０＜ｖ２ｎａｖｅ−ｖ２ｐａｖｅ＜１００．０
【発明の効果】
【００１１】
本発明によれば、正負正群を有するズームレンズにおいて、小型、高変倍でありながらも、ズーム全域で色収差を良好に補正した、高い解像力を有するズームレンズおよびこれを用いた撮像装置が得られる。
【図面の簡単な説明】
【００１２】
【図１】本発明の数値実施例１のレンズ断面図
【図２】本発明の数値実施例１の広角端における収差図
【図３】本発明の数値実施例１の中間位置における収差図
【図４】本発明の数値実施例１の望遠端における収差図
【図５】本発明の数値実施例２のレンズ断面図
【図６】本発明の数値実施例２の広角端における収差図
【図７】本発明の数値実施例２の中間位置における収差図
【図８】本発明の数値実施例２の望遠端における収差図
【図９】本発明の数値実施例３のレンズ断面図
【図１０】本発明の数値実施例３の広角端における収差図
【図１１】本発明の数値実施例３の中間位置における収差図
【図１２】本発明の数値実施例３の望遠端における収差図
【図１３】本発明の数値実施例４のレンズ断面図
【図１４】本発明の数値実施例４の広角端における収差図
【図１５】本発明の数値実施例４の中間位置における収差図
【図１６】本発明の数値実施例４の望遠端における収差図
【図１７】本発明の数値実施例５のレンズ断面図
【図１８】本発明の数値実施例５の広角端における収差図
【図１９】本発明の数値実施例５の中間位置における収差図
【図２０】本発明の数値実施例５の望遠端における収差図
【図２１】本発明の数値実施例６のレンズ断面図
【図２２】本発明の数値実施例６の広角端における収差図
【図２３】本発明の数値実施例６の中間位置における収差図
【図２４】本発明の数値実施例６の望遠端における収差図
【図２５】本発明の光学機器の要概略図
【発明を実施するための形態】
【００１３】
以下に本発明の好ましい実施形態を添付の図面に基いて詳細に説明する。
【００１４】
図１は本発明の実施例１のズームレンズの広角端（短焦点距離端）におけるレンズ断面図である。図２、図３、図４はそれぞれ実施例１のズームレンズの広角端、中間のズーム位置、望遠端（長焦点距離端）における収差図である。実施例１はズーム比１１．８、開口比２．８８〜２．８８程度のズームレンズである。
【００１５】
図５は本発明の実施例２のズームレンズの広角端（短焦点距離端）におけるレンズ断面図である。図６、図７、図８はそれぞれ実施例２のズームレンズの広角端、中間のズーム位置、望遠端（長焦点距離端）における収差図である。実施例２はズーム比１２．６、開口比２．８８〜３．００程度のズームレンズである。
【００１６】
図９は本発明の実施例３のズームレンズの広角端（短焦点距離端）におけるレンズ断面図である。図１０、図１１、図１２はそれぞれ実施例３のズームレンズの広角端、中間のズーム位置、望遠端（長焦点距離端）における収差図である。実施例３はズーム比１３．２、開口比２．８８〜３．５０程度のズームレンズである。
【００１７】
図１３は本発明の実施例４のズームレンズの広角端（短焦点距離端）におけるレンズ断面図である。図１４、図１５、図１６はそれぞれ実施例４のズームレンズの広角端、中間のズーム位置、望遠端（長焦点距離端）における収差図である。実施例４はズーム比１３．７、開口比２．８８〜４．００程度のズームレンズである。
【００１８】
図１７は本発明の実施例５のズームレンズの広角端（短焦点距離端）におけるレンズ断面図である。図１８、図１９、図２０はそれぞれ実施例５のズームレンズの広角端、中間のズーム位置、望遠端（長焦点距離端）における収差図である。実施例５はズーム比１４．３、開口比２．８８〜５．６０程度のズームレンズである。
【００１９】
図２１は本発明の実施例６のズームレンズの広角端（短焦点距離端）におけるレンズ断面図である。図２２、図２３、図２４はそれぞれ実施例６のズームレンズの広角端、中間のズーム位置、望遠端（長焦点距離端）における収差図である。実施例６はズーム比１１．１、開口比２．８８〜５．６０程度のズームレンズである。
【００２０】
レンズ断面図において、ｉは物体側から像側への各レンズ群の順序を示し、Ｌｉは第ｉレンズ群である。ＳＰは開放Ｆナンバー（Ｆｎｏ）光束を決定（制限）する開口絞りの作用をするＦナンバー決定部材（以下「開口絞り」と呼ぶ）である。Ｇは光学フィルタ、フェースプレート、水晶ローパスフィルタ、赤外カットフィルタ等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。又、銀塩フィルム用カメラの撮影光学系として使用する際にはフィルム面に相当する感光面が置かれている。
【００２１】
収差図において、ｄ、Ｆは各々ｄ線及びｇ線、ΔＭ、ΔＳはメリディオナル像面、サジタル像面を表している。また、軸上および倍率色収差は、ｇ線によって表している。
【００２２】
次に、各実施例に共通して、本発明の効果を得る上で特徴となる点について説明する。物体側より像側へ順に、正の屈折力の第１レンズ群、負の屈折力の第２レンズ群、正の屈折力の第３レンズ群と、少なくとも１つ以上のレンズ群を含む後群を有して構成され、広角端から望遠端へのズーミングに際して、少なくとも第１から第３レンズ群が移動するズームレンズにおいて、第２レンズ群に少なくとも３枚以上の負レンズと、１枚以上の正レンズを有して構成され、以下の条件を満足している。
【００２３】
０．０５０＜｜ｆ２｜／ｆｔ＜０．１４０・・・（１）
４０．０＜ｖ２ｎａｖｅ−ｖ２ｐａｖｅ＜１００．０・・・（２）
ただし、第２レンズの焦点距離をｆ２、望遠端の焦点距離ｆｔ、第２レンズ群に含まれる負レンズの平均アッベ数をｖ２ｎａｖｅ、第２レンズ群に含まれる正レンズの平均アッベ数ｖ２ｐａｖｅとする。
【００２４】
本発明では、主に、第２レンズ群と第３レンズ群を移動することで、変倍を行っている。特に、第２レンズ群の屈折力を強めることで、第２レンズ群の変倍効果を高めつつ、ズーム時の移動量を抑えることで、高変倍化と小型化を達成している。
【００２５】
また、第２レンズ群に含まれる負レンズの構成枚数を３枚以上とすることで屈折力を分担し、かつ、第２レンズ群に含まれる負レンズと正レンズの平均アッベ数差を適切に設定することで、第２レンズ群の屈折力を強めた際に発生する色収差を補正している。
【００２６】
条件式（１）が上限を超えると、第２レンズ群の屈折力が弱まり過ぎてしまい、高変倍化時に、２群の移動量が大きくなり過ぎてしまい、ズームレンズの全長を小型化することが難しくなる。下限を超えると、第２レンズ群の屈折力が強まり過ぎてしまい、望遠端において、軸上色収差の補正が困難となる。
【００２７】
条件式（２）は第２レンズ群に含まれる負レンズの平均アッベ数第２レンズ群に含まれる正レンズの平均アッベ数の差を規定する式である。第２レンズ群に含まれる負レンズと正レンズのアッベ数差が大きいほど、１次の色補正に必要な各レンズの屈折力は小さくてすむ。
【００２８】
条件式（２）が上限を越えると、１次の色補正には有利となるが、実在する材料では、負レンズと正レンズの部分分散比の差が大きくなりすぎてしまい、望遠端の二次スペクトルの増大が課題となる。下限を超えると、アッベ数の差が小さくなりすぎてしまい、１次の色補正をするのに必要な各レンズの屈折力が大きくなりすぎてしまう。その結果、広角端の像面彎曲と望遠側の球面収差の補正が困難となる。
【００２９】
上記の構成と（１）、（２）の条件を満たすことによって本発明の課題である、小型、高変倍でありながらも、ズーム全域で色収差を補正した、高い解像力を有するズームレンズを実現することが可能となる。
【００３０】
なお更に好ましくは、実施の形態の効果を大きくするために、条件式（１）（２）の範囲を以下の範囲に設定することが好ましい。
【００３１】
０．０７０＜｜ｆ２｜／ｆｔ＜０．１３５・・・（１ａ）
４１．０＜ｖ２ｎａｖｅ−ｖ２ｐａｖｅ＜８０・・・（２ａ）
更に好ましくは、条件式（１ａ）（２ａ）の範囲を以下の範囲に設定することが好ましい。
【００３２】
０．０９０＜｜ｆ２｜／ｆｔ＜０．１３５・・・（１ｂ）
４２＜ｖ２ｎａｖｅ−ｖ２ｐａｖｅ＜７５・・・（２ｂ）
更に、広角端における第２レンズ群の横倍率をβ２ｗ、望遠端における横倍率をβ２ｔとした時、以下の条件式を満足することが好ましい。
【００３３】
４．０＜β２ｔ／β２ｗ＜１０．０・・・（３）
条件式（３）が上限を超えると、第２レンズ群の変倍比が大きくなり過ぎてしまい、第２レンズ群の屈折力を強めたままだと、ズーム全域の倍率色収差を補正することが困難となる。下限を超えると、第２レンズ群の変倍比が小さくなり過ぎてしまい、高変倍化時に、第３レンズ群の移動による変倍分担が大きくなるため、同じズーム比を維持しようとすると、望遠端の全長を小型化することが難しくなる。
【００３４】
更に、第２レンズ群に含まれる負レンズの平均焦点距離をｆ２ｎａｖｅ、広角端の焦点距離をｆｗとした時、以下の条件式を満足することが好ましい。
【００３５】
３．０＜｜ｆ２ｎａｖｅ｜／ｆｗ＜１０．０・・・（４）
条件式（４）が上限を超えると、第２レンズ群に含まれる負レンズの屈折力が弱くなり過ぎてしまい、広角端にて軸外光束を屈折させる作用が薄れるため、前玉径が大型化することが課題となる。下限を超えると、第２レンズ群に含まれる負レンズの屈折力が強まり過ぎてしまい、広角端において倍率色収差の補正が困難となる。
【００３６】
更に、第２レンズ群に含まれる負レンズの平均屈折率をＮ２ｎａｖｅとした時、以下の条件式を満足することが好ましい。
【００３７】
１．５００＜Ｎ２ｎａｖｅ＜１．８００・・・（５）
条件式（５）が上限を超えると、実在する材料では、第２レンズ群内に含まれる負レンズの分散が高分散となりすぎてしまい、１次の色収差補正を行うことが困難となる。下限を超えると、第２レンズ群に含まれる負レンズの屈折率が低くなり過ぎてしまい、広角端において発生する像面彎曲の補正が困難となる。
【００３８】
更に、第２レンズ群は、物体側から順に、負の屈折力の２１レンズ、負の屈折力の２２レンズ、負の屈折力の２３レンズを配置して構成されていることが好ましい。このように、第２レンズ群内のレンズ配置を、物体側から負レンズを３枚並べた構成とすることにより、広角端にて軸外光束を緩やかに屈折させることができ、広角端における像高間の倍率色収差の曲がりを良好に補正している。
【００３９】
更に、２１レンズの物体面の曲率半径をＲ２１ｏ、像側面の曲率半径をＲ２１ｉ、２２レンズの物体側面の曲率半径をＲ２２ｏ、２２レンズの像側面の曲率半径をＲ２２ｉ、２３レンズの物体側面の曲率半径をＲ２３ｏ、２３レンズの像側面の曲率半径をＲ２３ｉとした時、以下の条件式を満足することが好ましい。
【００４０】
０．９０＜（Ｒ２１ｏ＋Ｒ２１ｉ）／（Ｒ２１ｏ−Ｒ２１ｉ）＜２．００・・・（６）
−１．００＜（Ｒ２２ｏ＋Ｒ２２ｉ）／（Ｒ２２ｏ−Ｒ２２ｉ）＜２．００・・・（７）
−３．００＜（Ｒ２３ｏ＋Ｒ２３ｉ）／（Ｒ２３ｏ−Ｒ２３ｉ）＜−１．００・・・（８）
条件式（６）は、第２レンズ群の負レンズ２１の形状因子を規定する式である。上限を越えると、負レンズ２１の物体側レンズ面の形状が、凸面側にきつくなりすぎてしまい、望遠側において球面収差補正が過剰となってくる。下限を超えると、物体側レンズ面の形状が、凹面側にきつくなりすぎてしまい、広角端において高次の倍率色収差を補正することが困難となる。
【００４１】
条件式（７）は、第２レンズ群の負レンズ２２の形状因子を規定する式である。上限を越えると、負レンズ２２の物体側レンズ面の形状が、凸面側にきつくなりすぎてしまい、望遠側において球面収差補正が過剰となってくる。下限を超えると、物体側レンズ面の形状が、凹面側にきつくなりすぎてしまい、広角端において高次の倍率色収差を補正することが困難となる。
【００４２】
条件式（８）は、第２レンズ群の負レンズ２３の形状因子を規定する式である。上限を越えると、負レンズ２３の像側レンズ面の形状が凹面側にきつくなりすぎてしまい、広角端において非点収差の補正が過剰となってくる。下限を超えると、負レンズ２３の像側レンズ面の形状が凸面側にきつくなりすぎてしまい、望遠端において短波長域の色の球面収差補正が困難となる。
【００４３】
更に、第１レンズ群の焦点距離をｆ１とした時、以下の条件式を満足することが好ましい。
【００４４】
０．５００＜ｆ１／ｆｔ＜１．０００・・・（９）
条件式（９）が上限を超えると、第１レンズ群の屈折力が弱まり過ぎてしまい、高変倍化を図った際に、第１レンズ群の移動量が増大してしまい、望遠端でズームレンズの全長が大型化してしまう。下限を超えると、第１レンズ群の屈折力が強まり過ぎてしまい、望遠端において、軸上色収差を補正することが困難となる。
更に、第１レンズ群は、少なくとも１枚以上の正レンズと負レンズを有して構成され、第１レンズ群に含まれる正レンズの平均アッベ数をｖ１ｐａｖｅ、負レンズの平均アッベ数をｖ１ｎａｖｅとした時、以下の条件式を満足することが好ましい。
【００４５】
４０．０＜ｖ１ｐａｖｅ−ｖ１ｎａｖｅ＜８０．０・・・（１０）
条件式（１０）が上限を越えると、正レンズと負レンズのアッベ数の差が大きくなりすぎてしまい、実在する材料では、正レンズと負レンズの部分分散比の差が大きくなりすぎてしまい、望遠端の二次スペクトルの増大が課題となる。下限を超えると、アッベ数の差が小さくなりすぎてしまい、１次の色補正をするのに必要な各レンズの屈折力が大きくなりすぎてしまう。その結果、望遠端の球面収差の補正が困難となる。
【００４６】
更に、第３レンズ群の焦点距離をｆ３とした時、以下の条件式を満足することが好ましい。
【００４７】
０．１００＜ｆ３／ｆｔ＜０．２５０・・・（１１）
条件式（１１）が上限を超えると、第３レンズ群の屈折力が弱まり過ぎてしまい、高変倍化を図った際に、第３レンズ群の移動量が増大してしまい、望遠端でズームレンズの全長が大型化してしまう。下限を超えると、第３レンズ群の屈折力が強まり過ぎてしまい、ズーム全域において軸上色収差を補正することが困難となる。
【００４８】
更に、第３レンズ群は、少なくとも１枚以上の正レンズと負レンズを有して構成され、第３レンズ群に含まれる正レンズの平均アッベ数をｖ３ｐａｖｅ、負レンズの平均アッベ数をｖ３ｎａｖｅとした時、以下の条件式を満足することが好ましい。
【００４９】
４０．０＜ｖ３ｐａｖｅ−ｖ３ｎａｖｅ＜８０．０・・・（１２）
条件式（１２）が上限を越えると、１次の色補正には有利となるが、実在する材料では、正レンズと負レンズの部分分散比の差が大きくなりすぎてしまい、広角端の二次スペクトルの増大が課題となる。下限を超えると、アッベ数の差が小さくなりすぎてしまい、１次の色補正をするのに必要な各レンズの屈折力が大きくなりすぎてしまう。その結果、ズーム全域で球面収差と非点収差の補正が困難となる。
【００５０】
更に好ましくは、実施の形態の効果を大きくするために、条件式（３）〜（１１）の範囲を以下の範囲に設定することが好ましい。
【００５１】
４．０＜β２ｔ／β２ｗ＜７．０・・・（３ａ）
４．００＜｜ｆ２ｎａｖｅ｜／ｆｗ＜７．００・・・（４ａ）
１．５２０＜Ｎ２ｎａｖｅ＜１．７００・・・（５ａ）
０．９５＜（Ｒ２１ｏ＋Ｒ２１ｉ）／（Ｒ２１ｏ−Ｒ２１ｉ）＜１．５０・・・（６ａ）
−０．９０＜（Ｒ２２ｏ＋Ｒ２２ｉ）／（Ｒ２２ｏ−Ｒ２２ｉ）＜１．７０
・・・（７ａ）
−２．５０＜（Ｒ２３ｏ＋Ｒ２３ｉ）／（Ｒ２３ｏ−Ｒ２３ｉ）＜−１．５０
・・・（８ａ）
０．６００＜ｆ１／ｆｔ＜０．９００・・・（９ａ）
４１．０＜ｖ１ｐａｖｅ−ｖ１ｎａｖｅ＜７５．０・・・（１０ａ）
０．１５０＜ｆ３／ｆｔ＜０．２４０・・・（１１ａ）
４２．０＜ｖ３ｐａｖｅ−ｖ３ｎａｖｅ＜７５．０・・・（１２ａ）
さらに、本発明が提案するズームレンズは、歪曲収差と倍率色収差を含んだ電気信号を画像処理によって補正するシステムと合わせて使用することにより、全ズーム領域でさらに高い性能を達成することができる。
【００５２】
次に、本発明のズームレンズの実施例について詳細を述べる。各実施例のズームレンズにおいて共通の特徴として、広角端から望遠端へ変倍に際して、各レンズ群Ｌ１〜Ｌ３が移動している。具体的には、変倍に際して、第１レンズ群Ｌ１は像側へ凸状の軌跡を描くように移動し、望遠端で広角端より物体側に位置する。第２レンズ群Ｌ２は、像側へ移動する。第３レンズ群Ｌ３は、物体側へ移動する。このとき、広角端に比べて望遠端で第１レンズ群Ｌ１と第２レンズ群Ｌ２の間隔が大きくなるように移動している。また第２レンズ群Ｌ２と第３レンズ群Ｌ３の間隔が小さくなるように移動している。また、各実施例のズームレンズは、第２レンズ群Ｌ２と第３レンズ群Ｌ３の間にＦナンバー決定部材ＳＰを設けている。Ｆナンバー決定部材ＳＰは、ズーミングに際し、他のレンズ群と独立に移動し、ズーム中間域で物体側へ凸状の軌跡を描くように移動させることにより、前玉有効径の小型化を図っている。
【００５３】
実施例１〜５のズームレンズについては、第３レンズ群より像側の後群として、負の屈折力を有する第４レンズ群Ｌ４、正の屈折力を有する第５レンズ群Ｌ５を配置して構成されている。第４レンズ群Ｌ４は像側に凸状の軌跡を描くように移動し、望遠端で広角端より物体側に位置する。第５レンズ群Ｌ５は、像側へ移動する。ズーミングに伴うピント変動の補正は主に第４レンズ群Ｌ４もしくはＬ５の移動で実現される。フォーカシングは第４レンズ群Ｌ４もしくは第５レンズ群Ｌ５を光軸方向に移動させることで行う。
【００５４】
実施例６のズームレンズについては、第３レンズ群より像側の後群として、正の屈折力を有する第４レンズ群Ｌ４を配置して構成されている。第４レンズ群Ｌ４は、広角端から望遠端へ変倍に際して、像側へ移動する。ズーミングに伴うピント変動の補正は主に第４レンズ群Ｌ４の移動で実現される。フォーカシングは第４レンズ群を光軸方向に移動させることで行う。
【００５５】
以下、各レンズ群の群内の構成について説明する。第１レンズ群Ｌ１は、物体側より順に負レンズ１１と正レンズ１２で構成された接合レンズ１４、物体側に凸面を向けた正メニスカスレンズ１３で構成している。このように構成することで、第１レンズ群Ｌ１の正の屈折力を接合レンズ１４と正レンズ１３とで分担し、第１レンズ群Ｌ１で発生する諸収差、特に望遠側における軸上色収差と倍率色収差の発生を低減している。
【００５６】
第２レンズ群Ｌ２は物体側より順に、像側に強い凹面を向けた負レンズ２１、像側に強い凹面を向けた負レンズ２２、物体側に強い凹面を向けた負レンズ２３、物体側に凸面を向けた正レンズ２４で構成している。このように構成することで、第２レンズ群Ｌ２の負の屈折力を負レンズ３枚で分担し、第２レンズ群Ｌ２で発生する諸収差、特に、広角側における像高間の倍率色収差の曲がりと、望遠側における短波長域の色の球面収差を低減している。
【００５７】
第３レンズ群Ｌ３は、物体側より順に、物体側に凸面を向けた正レンズ３１、物体側に凸面を向けた正レンズ３２と像側に凹面を向けた負レンズ３３で構成された接合レンズ３５、両凸の正レンズ３４で構成している。このように構成することで、第３レンズ群Ｌ３の正の屈折力を正レンズ３枚以上で分担し、第３レンズ群で発生する諸収差、特に変倍全域に渡る球面収差、コマ収差、軸上色収差の発生を低減している。
【００５８】
実施例１〜５の第４レンズ群Ｌ４は１つの負レンズ４１で構成している。１枚で構成することにより、第４レンズ群でフォーカシングを行う場合に迅速なフォーカシングができるようにしている。
【００５９】
実施例６の第４レンズ群Ｌ４は１つの正レンズ４１で構成している。１枚で構成することにより、第４レンズ群でフォーカシングを行う場合に迅速なフォーカシングができるようにしている。
【００６０】
実施例１〜５の第５レンズ群Ｌ５は物体側より順に正レンズ５１、負レンズ５２で構成している。正負２枚のレンズで構成することで、変倍全域にて倍率色収差の発生を低減している。
【００６１】
なお各実施例では任意のレンズ群を光軸と垂直な方向に移動させて手ぶれ補正を行うことが可能である。
【００６２】
次に本発明の各実施例の数値実施例を示す。各数値実施例において、ｉは物体側からの面の順序を示し、Ｒｉはレンズ面の曲率半径、Ｄｉは第ｉ面と第ｉ＋１面との間のレンズ肉厚および空気間隔、Ｎｄｉ、νｄｉはそれぞれｄ線に対する屈折率、アッベ数を示す。また、もっとも像側の２面は水晶ローパスフィルタ、赤外カットフィルタ等のフィルタ部材である。
【００６３】
各数値実施例において使用する記号の意味は次に示すとおりである。数値実施例においてＲｉは物体側より順に第ｉ番目のレンズ面の曲率半径、Ｄｉは物体側より順に第ｉ番目のレンズ厚及び空気間隔、Ｎｉとνｉは各々物体側より順に第ｉ番目のレンズのガラスのｄ線に対する屈折率、アッベ数である。又前述の各条件式と数値実施例の関係を表１に示す。
【００６４】
非球面形状は光軸方向にＸ軸、光軸と垂直方向にＨ軸、光の進行方向を正としＲを近軸曲率半径、Ｋを円錐定数、Ａ４，Ａ６，Ａ８を各々非球面係数としたとき
【００６５】
【数１】
2018194768.tif 000003
【００６６】
なる式で表している。また、［ｅ＋Ｘ］は［×１０＋ｘ］を意味し、［ｅ−Ｘ］は［×１０−ｘ］を意味している。
【００６７】
非球面は面番号の後に＊を付加して示す。
【００６８】
［数値実施例１］
単位 mm
面データ
面番号       r        d      nd         vd
1         97.951    1.40   1.85478    24.8           
2         61.592    5.70   1.53775    74.7           
3      -2285.817    0.50                             
4         58.986    4.40   1.59282    68.6           
5        251.393  (可変)                             
6        447.003    0.90   1.72916    54.7           
7         18.892    3.09                             
8       -279.492    0.80   1.55332    71.7           
9         28.963    3.65                             
10*       -18.505    0.80   1.69680    55.5           
11*       -53.337    0.17                             
12         53.525    1.60   1.95906    17.5           
13        748.577  (可変)                             
14(絞り)    ∞     (可変)                             
15*        17.079    5.00   1.55332    71.7           
16*      1083.651    0.50                             
17         17.186    3.80   1.59282    68.6           
18         28.516    1.20   1.85478    24.8           
19         13.210    3.00                             
20*        22.372    3.30   1.61881    63.9           
21*       -49.804  (可変)                             
22*       -80.982    1.31   1.61881    63.9           
23*        34.591  (可変)                             
24*        35.448    5.00   1.62263    58.2           
25*       -30.710    0.15                             
26        -71.585    0.90   1.80809    22.8           
27        749.486  (可変)                             
28          ∞       1.50   1.48749    70.2           
29          ∞     (可変)                             
像面        ∞   
非球面データ
第10面
K = 0.00000e+000  A 4=-1.18698e-005  A 6= 2.45459e-007  A 8=-9.91207e-010  
第11面
K = 0.00000e+000  A 4= 4.14596e-008  A 6= 2.35342e-007  A 8=-8.81437e-010  
第15面
K =-3.51356e-002  A 4=-1.30996e-005  A 6=-1.29163e-007  A 8= 2.45824e-010  
第16面
K =-6.71333e+003  A 4= 1.32107e-005  A 6=-1.64420e-007  A 8= 4.94942e-010  
第20面
K = 1.83562e+000  A 4=-1.21088e-005  A 6=-2.17210e-007  A 8= 2.35505e-009  
第21面
K =-1.15322e+001  A 4= 2.77417e-005  A 6=-7.31070e-008  A 8= 3.08082e-009  
第22面
K = 7.97629e+001  A 4= 2.39052e-004  A 6=-1.69187e-006  A 8= 1.02934e-008  
第23面
K = 1.68614e+000  A 4= 2.38798e-004  A 6=-1.10583e-006  A 8= 6.02308e-009  
第24面
K = 0.00000e+000  A 4=-7.53270e-006  A 6= 6.27479e-007  A 8=-1.01813e-009  
第25面
K = 0.00000e+000  A 4= 2.90055e-006  A 6= 4.35069e-007  A 8=-1.65396e-009  
各種データ
ズーム比     11.81 
焦点距離       9.10    47.95   107.50    
Fナンバー      2.88     2.88     2.88      
画角          34.27     9.34     4.20     
像高           6.20     7.89     7.89      
レンズ全長   111.76   127.95   136.56     
BF             1.01     1.01     1.01     
d 5            1.20    37.93    51.76       
d13           29.00     2.03     1.89     
d14           13.86    10.18     2.00     
d21            2.25    14.01    13.57     
d23            6.76    10.15    14.59       
d27            9.00     3.98     3.07      
d29            1.01     1.01     1.01       
ズームレンズ群データ
群  始面    焦点距離  
1    1      87.29  
2    6     -14.32  
3   15      20.79  
4   22     -39.00  
5   24      39.80  
［数値実施例2］
単位 mm
面データ
面番号       r        d      nd         vd
1         95.172    1.40   1.85478    24.8           
2         61.371    5.70   1.53775    74.7           
3      -30938.631    0.50                             
4         61.110    4.40   1.59282    68.6           
5        240.237  (可変)                             
6        202.989    0.90   1.72916    54.7           
7         16.769    3.85                             
8        -67.534    0.80   1.55332    71.7           
9         42.924    3.42                             
10*       -16.945    0.80   1.55332    71.7           
11*       -42.153    0.17                             
12         61.768    1.60   1.95906    17.5           
13        748.577  (可変)                             
14(絞り)    ∞     (可変)                             
15*        16.723    5.00   1.55332    71.7           
16*      1904.173    0.50                             
17         17.690    3.80   1.59282    68.6           
18         28.012    1.20   1.85478    24.8           
19         13.128    3.00                             
20*        22.716    3.30   1.61881    63.9           
21*       -55.065  (可変)                             
22*       -81.504    1.31   1.61881    63.9           
23*        34.496  (可変)                             
24*        35.762    5.00   1.62263    58.2           
25*       -30.736    0.15                             
26        -69.062    0.90   1.80809    22.8           
27      -34057.238  (可変)                             
28          ∞       1.50   1.48749    70.2           
29          ∞     (可変)                             
像面        ∞   
非球面データ
第10面
K = 0.00000e+000  A 4=-1.95940e-005  A 6= 1.10974e-007  A 8=-4.10487e-011  
第11面
K = 0.00000e+000  A 4=-9.61703e-006  A 6= 1.52418e-007  A 8=-8.47747e-011  
第15面
K =-3.89399e-002  A 4=-1.49999e-005  A 6=-1.29031e-007  A 8= 4.41196e-010  
第16面
K =-2.36413e+004  A 4= 1.13878e-005  A 6=-1.67725e-007  A 8= 8.37720e-010  
第20面
K = 1.76399e+000  A 4=-9.05466e-006  A 6=-1.72536e-007  A 8= 1.97293e-009  
第21面
K =-1.09481e+001  A 4= 3.04102e-005  A 6=-2.51025e-008  A 8= 2.34302e-009  
第22面
K = 7.72881e+001  A 4= 2.23103e-004  A 6=-1.53039e-006  A 8= 6.80309e-009  
第23面
K =-4.69151e-001  A 4= 2.25407e-004  A 6=-9.86519e-007  A 8= 2.16444e-009  
第24面
K = 0.00000e+000  A 4=-1.69965e-005  A 6= 3.75989e-007  A 8=-5.23077e-010  
第25面
K = 0.00000e+000  A 4=-5.02682e-006  A 6= 6.74979e-008  A 8= 2.38833e-010  
各種データ
ズーム比     12.64 
広角     中間     望遠
焦点距離       9.10    50.79   115.00  
Fナンバー      2.88     3.00     3.00  
画角          34.27     8.83     3.92  
像高           6.20     7.89     7.89  
レンズ全長   112.92   132.55   142.17  
BF             1.00     1.00     1.00  
d 5            1.20    40.28    54.40  
d13           28.99     3.15     1.89  
d14           14.08     8.83     2.00  
d21            2.78    15.37    15.33  
d23            6.40    10.44    15.36  
d27            9.26     4.27     2.99  
d29            1.00     1.00     1.00  
ズームレンズ群データ
群  始面    焦点距離  
1    1      90.70  
2    6     -14.27     
3   15      21.26  
4   22     -39.00  
5   24      39.07  
［数値実施例３］
単位 mm
面データ
面番号       r        d      nd         vd
1         97.129    1.40   2.00069    25.5           
2         64.431    5.70   1.53775    74.7           
3      -2529.364    0.50                             
4         60.935    4.40   1.59282    68.6           
5        261.371  (可変)                             
6        190.335    0.90   1.72916    64.0           
7         16.678    3.67                             
8        -73.195    0.80   1.55332    71.7           
9         40.912    3.46                             
10*       -16.886    0.80   1.55332    71.7           
11*       -41.789    0.17                             
12         62.864    1.60   1.95906    17.5           
13        748.577  (可変)                             
14(絞り)    ∞     (可変)                             
15*        16.849    5.00   1.55332    71.7           
16*     -1053.741    0.50                             
17         16.814    3.80   1.49700    81.5           
18         27.100    1.20   1.85478    24.8           
19         13.277    3.00                             
20*        21.776    3.30   1.59201    67.0           
21*       -51.793  (可変)                             
22*       -82.477    1.31   1.62263    58.2           
23*        34.625  (可変)                             
24*        44.709    5.00   1.62263    58.2           
25*       -34.412    0.15                             
26       -112.612    0.90   1.80518    25.4           
27      -1952.359  (可変)                             
28          ∞       1.50   1.48749    70.2           
29          ∞     (可変)                             
像面        ∞   
非球面データ
第10面
K = 0.00000e+000  A 4=-5.09858e-005  A 6= 4.80930e-007  A 8=-2.18466e-009  
第11面
K = 0.00000e+000  A 4=-3.82608e-005  A 6= 5.37359e-007  A 8=-2.35012e-009  
第15面
K =-1.39687e-001  A 4=-1.45766e-005  A 6=-1.24264e-007  A 8= 6.44146e-010  
第16面
K =-1.60431e+004  A 4= 7.38481e-006  A 6=-1.83260e-007  A 8= 1.11516e-009  
第20面
K = 1.51088e+000  A 4=-1.02221e-006  A 6=-3.09103e-007  A 8= 2.05882e-009  
第21面
K =-8.48382e+000  A 4= 4.32813e-005  A 6=-1.50150e-007  A 8= 2.27648e-009  
第22面
K = 7.13821e+001  A 4= 2.31416e-004  A 6=-1.56293e-006  A 8= 7.33062e-009  
第23面
K = 1.03097e+000  A 4= 2.31346e-004  A 6=-9.31031e-007  A 8= 4.05836e-009  
第24面
K = 0.00000e+000  A 4=-2.80208e-005  A 6= 6.91767e-007  A 8=-3.32504e-009  
第25面
K = 0.00000e+000  A 4=-1.65840e-005  A 6= 3.37024e-007  A 8=-2.74555e-009  
各種データ
ズーム比     13.19 
広角     中間     望遠
焦点距離       9.10    53.80   120.00  
Fナンバー      2.88     3.00     3.50  
画角          34.27     8.34     3.76  
像高           6.20     7.89     7.89  
レンズ全長   112.28   135.45   144.41  
BF             1.00     1.00     1.00  
d 5            1.20    43.55    57.34  
d13           28.77     3.48     1.89  
d14           13.93     8.44     2.00  
d21            3.04    14.54    14.12  
d23            6.28    11.36    16.01  
d27            9.00     4.01     2.99  
d29            1.00     1.00     1.00  
ズームレンズ群データ
群  始面    焦点距離  
1    1      92.89  
2    6     -14.22  
3   15      21.10  
4   22     -39.00  
5   24      40.29  
［数値実施例４］
単位 mm
面データ
面番号       r        d      nd         vd
1         91.749    1.40   2.00069    25.5           
2         61.489    5.70   1.53775    74.7           
3       2578.023    0.50                             
4         63.187    4.40   1.59282    68.6           
5        306.149  (可変)                             
6        155.616    0.90   1.72916    68.0           
7         15.690    4.56                             
8        -33.472    0.80   1.49700    81.5           
9        121.521    2.81                             
10*       -17.621    0.80   1.49700    81.5           
11*       -46.593    0.17                             
12         79.154    1.60   2.10205    16.8           
13        748.577  (可変)                             
14(絞り)    ∞     (可変)                             
15*        16.711    5.00   1.55332    71.7           
16*      -225.666    0.50                             
17         16.748    3.80   1.49700    81.5           
18         25.786    1.20   1.85478    24.8           
19         12.825    3.00                             
20*        21.947    3.30   1.59201    67.0           
21*       -65.678  (可変)                             
22*       -71.318    1.31   1.62263    58.2           
23*        37.078  (可変)                             
24*        40.546    5.00   1.62263    58.2           
25*       -34.382    0.15                             
26        -64.820    0.90   1.80518    25.4           
27       -123.084  (可変)                             
28          ∞       1.50   1.48749    70.2           
29          ∞     (可変)                             
像面        ∞   
非球面データ
第10面
K = 0.00000e+000  A 4=-3.63412e-005  A 6= 1.69083e-007  A 8= 4.13746e-012  
第11面
K = 0.00000e+000  A 4=-2.91538e-005  A 6= 2.39419e-007  A 8=-2.51096e-010  
第15面
K = 7.86705e-002  A 4=-1.84850e-005  A 6=-1.19843e-007  A 8= 1.38907e-010  
第16面
K =-5.33738e+002  A 4= 1.02313e-005  A 6=-1.84726e-007  A 8= 7.90810e-010  
第20面
K = 6.90829e-001  A 4= 2.39218e-005  A 6=-2.73743e-007  A 8= 1.56823e-009  
第21面
K =-6.73995e+000  A 4= 5.50644e-005  A 6=-1.02355e-007  A 8= 1.37322e-009  
第22面
K = 5.48958e+001  A 4= 2.23624e-004  A 6=-1.31730e-006  A 8= 1.76060e-009  
第23面
K = 2.89917e-001  A 4= 2.19267e-004  A 6=-6.40083e-007  A 8=-5.32807e-009  
第24面
K = 0.00000e+000  A 4=-2.02395e-005  A 6= 4.21169e-007  A 8= 1.71228e-009  
第25面
K = 0.00000e+000  A 4=-1.24532e-005  A 6= 4.74019e-008  A 8= 4.02476e-009  
各種データ
ズーム比     13.74 
広角     中間     望遠
焦点距離       9.10    50.20   125.00  
Fナンバー      2.88     3.50     4.00  
画角          34.27     8.93     3.61  
像高           6.20     7.89     7.89  
レンズ全長   112.75   136.03   147.11  
BF             1.00     1.00     1.00  
d 5            1.20    41.99    58.18  
d13           28.98     4.69     1.89  
d14           13.60     8.39     2.00  
d21            1.94    14.40    15.14  
d23            6.68    11.96    16.62  
d27           10.04     4.29     2.97  
d29            1.00     1.00     1.00  
ズームレンズ群データ
群  始面    焦点距離  
1    1      94.52  
2    6     -14.28  
3   15      21.29  
4   22     -39.00  
5   24      37.08  
［数値実施例５］
単位 mm
面データ
面番号       r        d      nd         vd
1         88.847    1.40   2.00069    25.5           
2         60.759    5.70   1.53775    74.7           
3       1064.834    0.50                             
4         64.876    4.40   1.59282    68.6           
5        282.888  (可変)                             
6        189.488    0.90   1.72916    70.0           
7         14.962    5.22                             
8        -27.815    0.80   1.43875    94.9           
9        464.502    2.59                             
10*       -20.541    0.80   1.43875    94.9           
11*       -74.667    0.17                             
12         85.908    1.60   2.10205    16.8           
13        748.577  (可変)                             
14(絞り)    ∞     (可変)                             
15*        16.769    5.00   1.55332    71.7           
16*      -259.351    0.50                             
17         16.877    3.80   1.49700    81.5           
18         26.084    1.20   1.85478    24.8           
19         12.989    3.00                             
20*        21.999    3.30   1.59201    67.0           
21*       -68.840  (可変)                             
22*       -59.852    1.31   1.62263    58.2           
23*        41.203  (可変)                             
24*        38.063    5.00   1.62263    58.2           
25*       -33.527    0.15                             
26        -56.757    0.90   1.80518    25.4           
27       -106.537  (可変)                             
28          ∞       1.50   1.48749    70.2           
29          ∞     (可変)                             
像面        ∞   
非球面データ
第10面
K = 0.00000e+000  A 4=-8.93602e-005  A 6= 9.66023e-007  A 8=-9.29084e-009  
第11面
K = 0.00000e+000  A 4=-8.49546e-005  A 6= 1.01486e-006  A 8=-8.24865e-009  
第15面
K = 1.20576e-001  A 4=-1.95899e-005  A 6=-6.36481e-008  A 8= 6.36857e-010  
第16面
K =-6.03568e+002  A 4= 8.20967e-006  A 6=-8.21368e-008  A 8= 1.30004e-009  
第20面
K = 7.29996e-001  A 4= 1.14766e-005  A 6=-1.98352e-007  A 8= 1.97528e-009  
第21面
K =-2.04654e+001  A 4= 4.12681e-005  A 6=-6.71293e-008  A 8= 2.04500e-009  
第22面
K = 4.52232e+001  A 4= 2.13137e-004  A 6=-1.45940e-006  A 8= 7.13566e-009  
第23面
K =-2.24344e+000  A 4= 2.03415e-004  A 6=-1.11315e-006  A 8= 2.51129e-010  
第24面
K = 0.00000e+000  A 4= 1.90568e-006  A 6= 1.91865e-007  A 8= 1.58924e-009  
第25面
K = 0.00000e+000  A 4= 1.65797e-005  A 6=-1.13900e-007  A 8= 3.17191e-009  
各種データ
ズーム比     14.42 
広角     中間     望遠
焦点距離       9.01    47.89   130.00  
Fナンバー      2.80     4.00     5.60  
画角          34.52     9.36     3.47  
像高           6.20     7.89     7.89  
レンズ全長   113.60   140.52   151.81  
BF             1.00     1.00     1.00  
d 5            1.20    44.92    62.98  
d13           29.00     5.73     1.89  
d14           13.38     8.58     1.99  
d21            1.87    13.30    14.26  
d23            7.13    11.96    15.86  
d27           10.27     5.29     4.09  
d29            1.00     1.00     1.00  
ズームレンズ群データ
群  始面    焦点距離  
1    1      98.44  
2    6     -14.22  
3   15      21.47  
4   22     -39.00  
5   24      36.16  
［数値実施例６］
単位 mm
面データ
面番号       r        d      nd         vd
1        146.951    1.20   1.85478    24.8           
2         74.247    4.80   1.59522    67.7           
3       -620.072    0.59                             
4         53.627    3.50   1.60311    60.6           
5        169.449  (可変)                             
6      -7270.894    1.04   1.72916    58.2           
7         16.584    2.55                             
8        100.958    0.93   1.55332    71.7           
9         23.390    3.54                             
10*       -24.102    0.93   1.59282    68.6           
11*       -90.356    0.20                             
12         67.809    1.86   2.10205    16.8           
13        868.349  (可変)                             
14(絞り)    ∞     (可変)                             
15*        18.138    5.80   1.55332    71.7           
16*      -386.305    0.59                             
17         22.656    4.41   1.49700    81.5           
18         40.030    1.39   1.85478    24.8           
19         15.811    3.48                             
20*        28.331    3.83   1.59282    68.6           
21*       -58.310  (可変)                             
22        123.796    3.00   1.59282    68.6           
23*      -120.048  (可変)                             
24          ∞       1.50   1.51633    64.1           
25          ∞     (可変)                             
像面        ∞   
非球面データ
第10面
K = 0.00000e+000  A 4=-2.83945e-004  A 6= 1.61447e-006  A 8= 9.80609e-010  
第11面
K = 0.00000e+000  A 4=-2.62516e-004  A 6= 2.15045e-006  A 8=-3.20770e-009  
第15面
K = 5.78925e-001  A 4=-2.72589e-005  A 6=-1.22980e-007  A 8=-6.84194e-010  
第16面
K = 2.15531e+002  A 4= 1.07879e-005  A 6=-1.85649e-007  A 8= 2.49618e-010  
第20面
K = 2.05414e+000  A 4=-4.27490e-006  A 6=-1.48953e-007  A 8=-1.12446e-009  
第21面
K =-2.34619e+001  A 4= 4.38736e-006  A 6= 7.20270e-008  A 8=-1.68803e-009  
第23面
K = 0.00000e+000  A 4= 8.99440e-007  A 6=-2.86521e-008  
各種データ
ズーム比     11.05 
広角     中間     望遠
焦点距離       9.97    24.00   110.15  
Fナンバー      2.88     4.00     5.60  
画角          31.88    18.01     4.05  
像高           6.20     7.80     7.80  
レンズ全長   112.86   121.12   150.95  
BF             1.00     1.00     1.00  
d 5            2.23    19.98    54.62  
d13           19.31     3.36     2.10  
d14           22.37    17.19     2.00  
d21           13.41    24.12    39.26  
d23            9.43    10.36     6.86  
d25            1.00     1.00     1.00  
ズームレンズ群データ
群  始面    焦点距離  
1    1      91.03  
2    6     -14.80  
3   14       ∞    
4   15      25.87  
5   22     103.28  
前述の各条件式と数値実施例における諸数値の関係を表１に示す。
【００６９】
【表１】
2018194768.tif 000004
【００７０】
次に本発明のズームレンズを撮影光学系として用いたデジタルカメラ（光学機器）の実施形態について、図２５を用いて説明する。図２５において、６０はデジタルカメラ本体、６１は上述の実施形態のズームレンズによって構成された撮影光学系、６２は撮影光学系６１によって被写体像を受光するＣＣＤ等の撮像素子、６３は撮像素子６２が受光した被写体像を記録する記録手段、６４は不図示の表示素子に表示された被写体像を観察するためのファインダーである。上記表示素子は液晶パネル等によって構成され、撮像素子６２上に形成された被写体像が表示される。６５は、前記ファインダーと同等の機能を有する液晶表示パネルである。このように本発明のズームレンズをデジタルカメラ等の光学機器に適用することにより、小型で高い光学性能を有する光学機器を実現している。
【符号の説明】
【００７１】
Ｌｉ  第ｉレンズ群、ＳＰ  開口絞り
【図１】
2018194768.tif 000005
【図２】
2018194768.tif 000006
【図３】
2018194768.tif 000007
【図４】
2018194768.tif 000008
【図５】
2018194768.tif 000009
【図６】
2018194768.tif 000010
【図７】
2018194768.tif 000011
【図８】
2018194768.tif 000012
【図９】
2018194768.tif 000013
【図１０】
2018194768.tif 000014
【図１１】
2018194768.tif 000015
【図１２】
2018194768.tif 000016
【図１３】
2018194768.tif 000017
【図１４】
2018194768.tif 000018
【図１５】
2018194768.tif 000019
【図１６】
2018194768.tif 000020
【図１７】
2018194768.tif 000021
【図１８】
2018194768.tif 000022
【図１９】
2018194768.tif 000023
【図２０】
2018194768.tif 000024
【図２１】
2018194768.tif 000025
【図２２】
2018194768.tif 000026
【図２３】
2018194768.tif 000027
【図２４】
2018194768.tif 000028
【図２５】
2018194768.tif 000029